【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
電力増幅器と、
前記電力増幅器に結合された前置歪み補償器と、
前記電力増幅器に結合された電源と、
前記電力増幅器、前記前置歪み補償器及び前記電源に結合されたコントローラと、を備え、
前記コントローラは、送信信号およびフィードバック信号を同時並行して捕捉し、前記コントローラは、前記電力増幅器が要求事項に従って増幅された送信信号を生成するのを可能にする前記電源のための最小バイアス電圧を決定するように構成され、前記最小バイアス電圧を決定することは、電圧の組内の次のバイアス電圧に対応する次のプリディストーションを決定することを備え、前記コントローラは、前記次のバイアス電圧及び前記次のプリディストーションが、前記電力増幅器が前記要求事項に従って前記増幅された送信信号を生成するのを可能にする場合は現在のバイアス電圧を低下させるように構成される、電力消費量を低減させるための回路。
【請求項２】
前記最小バイアス電圧を決定することは、
現在のバイアス電圧に対応する電力増幅器の特性を決定することであって、前記次のバイアス電圧は、前記現在のバイアス電圧よりも低いことと、
前記次のバイアス電圧に対応する性能を推定することと、
を備える請求項１に記載の回路。
【請求項３】
前記コントローラは、前記次のプリディストーションを決定すること及び性能を推定することをさらに繰り返す請求項２に記載の回路。
【請求項４】
前記次の電圧に対応する性能を推定することは、前記次のバイアス電圧に対応する１つ以上の性能メトリックを推定することを備え、前記１つ以上の性能メトリックは、隣接チャネル漏洩比（ＡＣＬＲ）、隣接チャネル電力比（ＡＣＰＲ）、ピーク対平均比（ＰＡＲ）、エラーベクトルマグニチュード（ＥＶＭ），受信帯域雑音（ＲｘＢＮ）、送信チェーン全体の利得及び送信チェーン全体の電力から成るグループの中の少なくとも１つを含む請求項２に記載の回路。
【請求項５】
前記コントローラは、さらに
前記次のバイアス電圧及び前記次のプリディストーションが、前記電力増幅器が前記要求事項に従って前記増幅された送信信号を生成するのを可能にするかどうかを決定し、
前記次のバイアス電圧及び前記次のプリディストーションが、前記電力増幅器が前記要求事項に従って前記増幅された送信信号を生成するのを可能にしない場合は少なくとも１つのパラメータを設定する
請求項２に記載の回路。
【請求項６】
少なくとも１つのパラメータを設定することは、
前記現在のバイアス電圧を示すパラメータを電源制御信号で送信することと、
前記現在のバイアス電圧に対応するプリディストーションを示す１つ以上のパラメータをプリディストーション制御信号で送信することと、を備える請求項５に記載の回路。
【請求項７】
前記コントローラは、さらに
１つ以上の基準に基づいて再評価が必要であるかどうかを決定し、及び
欠陥性能が生じたかどうかを決定する請求項２に記載の回路。
【請求項８】
前記コントローラは、欠陥性能が生じた場合に平均電力トラッキング（ＡＰＴ）に基づいて前記現在のバイアス電圧を初期電圧にさらに設定する請求項７に記載の回路。
【請求項９】
前記次のプリディストーションを決定することは、
前記次のバイアス電圧に対応する次の電力増幅器の特性を決定するために前記電力増幅器の特性をスケーリングすることと、
前記次の電力増幅器の特性を反転させることと、を備える請求項２に記載の回路。
【請求項１０】
前記要求事項は、隣接チャネル漏洩比（ＡＣＬＲ）、隣接チャネル電力比（ＡＣＰＲ）、ピーク対平均比（ＰＡＲ）、エラーベクトルマグニチュード（ＥＶＭ），受信帯域雑音（ＲｘＢＮ）、送信チェーン全体の利得及び送信チェーン全体の電力から成るグループの中の少なくとも１つに関する指定値を備える請求項１に記載の回路。
【請求項１１】
前記コントローラは、スイッチ又はデュプレクサの前で前記電力増幅器の出力部から前記フィードバック信号を捕捉する請求項１に記載の回路。
【請求項１２】
前記コントローラは、スイッチ又はデュプレクサの後で前記電力増幅器の出力部から前記フィードバック信号を捕捉する請求項１に記載の回路。
【請求項１３】
送信信号およびフィードバック信号を同時並行して捕捉することと、
電力増幅器が要求事項に従って増幅された送信信号を生成するのを可能にする電源のための最小バイアス電圧を決定することであって、前記最小バイアス電圧を決定することは、電圧の組内の次のバイアス電圧に対応する次のプリディストーションを決定することを備えることと、
前記次のバイアス電圧及び前記次のプリディストーションが、前記電力増幅器が前記要求事項に従って前記増幅された送信信号を生成するのを可能にする場合は現在のバイアス電圧を低下させることと、を備える、回路によって電力消費量を低減させるための方法。
【請求項１４】
前記最小バイアス電圧を決定することは、
現在のバイアス電圧に対応する電力増幅器の特性を決定することであって、前記次のバイアス電圧は、前記現在のバイアス電圧よりも低いことと、
前記次のバイアス電圧に対応する性能を推定することと、を備える請求項１３に記載の方法。
【請求項１５】
前記次のプリディストーションを決定すること及び性能を推定することを繰り返すことをさらに備える請求項１４に記載の方法。
【請求項１６】
前記次の電圧に対応する性能を推定することは、前記次のバイアス電圧に対応する１つ以上の性能メトリックを推定することを備え、前記１つ以上の性能メトリックは、隣接チャネル漏洩比（ＡＣＬＲ）、隣接チャネル電力比（ＡＣＰＲ）、ピーク対平均比（ＰＡＲ）、エラーベクトルマグニチュード（ＥＶＭ），受信帯域雑音（ＲｘＢＮ）、送信チェーン全体の利得及び送信チェーン全体の電力から成るグループの中の少なくとも１つを含む請求項１４に記載の方法。
【請求項１７】
前記次のバイアス電圧及び前記次のプリディストーションが、前記電力増幅器が前記要求事項に従って前記増幅された送信信号を生成するのを可能にするかどうかを決定することと、
前記次のバイアス電圧及び前記次のプリディストーションが、前記電力増幅器が前記要求事項に従って前記増幅された送信信号を生成するのを可能にしない場合は少なくとも１つのパラメータを設定することと、をさらに備える請求項１４に記載の方法。
【請求項１８】
少なくとも１つのパラメータを設定することは、
前記現在のバイアス電圧を示すパラメータを電源制御信号で送信することと、
前記現在のバイアス電圧に対応するプリディストーションを示す１つ以上のパラメータをプリディストーション制御信号で送信することと、を備える請求項１７に記載の方法。
【請求項１９】
１つ以上の基準に基づいて再評価が必要であるかどうかを決定することと、
欠陥性能が生じたかどうかを決定することと、をさらに備える請求項１４に記載の方法。
【請求項２０】
欠陥性能が生じた場合に平均電力トラッキング（ＡＰＴ）に基づいて前記現在のバイアス電圧を初期電圧に設定することをさらに備える請求項１９に記載の方法。
【請求項２１】
前記次のプリディストーションを決定することは、
前記次のバイアス電圧に対応する次の電力増幅器の特性を決定するために前記電力増幅器の特性をスケーリングすることと、
前記次の電力増幅器の特性を反転させることと、を備える請求項１４に記載の方法。
【請求項２２】
前記要求事項は、隣接チャネル漏洩比（ＡＣＬＲ）、隣接チャネル電力比（ＡＣＰＲ）、ピーク対平均比（ＰＡＲ）、エラーベクトルマグニチュード（ＥＶＭ），受信帯域雑音（ＲｘＢＮ）、送信チェーン全体の利得及び送信チェーン全体の電力から成るグループの中の少なくとも１つに関する指定値を備える請求項１３に記載の方法。
【請求項２３】
前記フィードバック信号は、スイッチ又はデュプレクサの前で前記電力増幅器の出力部からを捕捉される請求項１３に記載の方法。
【請求項２４】
前記フィードバック信号は、スイッチ又はデュプレクサの後で前記電力増幅器の出力部からを捕捉される請求項１３に記載の方法。
【請求項２５】
送信信号及びフィードバック信号を同時並行して捕捉することを回路に行わせるためのコードと、
電力増幅器が要求事項に従って増幅された送信信号を生成するのを可能にする電源のための最小バイアス電圧を決定することを前記回路に行わせるためのコードであって、前記最小バイアス電圧を決定することは、電圧の組内の次のバイアス電圧に対応する次のプリディストーションを決定することを備えるコードと、
前記次のバイアス電圧及び前記次のプリディストーションが、前記電力増幅器が前記要求事項に従って前記増幅された送信信号を生成するのを可能にする場合は現在のバイアス電圧を低下させることを前記回路に行わせるためのコードと
を備える命令を有する非一時的な有形のコンピュータによって読み取り可能な媒体、を備える、電力消費量を低減させるためのコンピュータプログラム製品。
【請求項２６】
前記最小バイアス電圧を決定することを前記回路に行わせるための前記コードは、
現在のバイアス電圧に対応する電力増幅器の特性を決定することを前記回路に行わせるためのコードであって、前記次のバイアス電圧は、前記現在のバイアス電圧よりも低いコードと、
前記次のバイアス電圧に対応する性能を推定することを前記回路に行わせるためのコードと、を備える請求項２５に記載のコンピュータプログラム製品。
【請求項２７】
前記命令は、
前記次のバイアス電圧及び前記次のプリディストーションが、前記電力増幅器が前記要求事項に従って前記増幅された送信信号を生成するのを可能にするかどうかを決定することを前記回路に行わせるためのコードと、
前記次のバイアス電圧及び前記次のプリディストーションが、前記電力増幅器が前記要求事項に従って前記増幅された送信信号を生成するのを可能にしない場合は少なくとも１つのパラメータを設定することを前記回路に行わせるためのコードと、をさらに備える請求項２６に記載のコンピュータプログラム製品。
【請求項２８】
前記命令は、
１つ以上の基準に基づいて再評価が必要であるかどうかを決定することを前記回路に行わせるためのコードと、
欠陥性能が生じたかどうかを決定することを前記回路に行わせるためのコードと、をさらに備える請求項２６に記載のコンピュータプログラム製品。
【請求項２９】
前記次のプリディストーションを決定することを前記回路に行わせるための前記コードは、
前記次のバイアス電圧に対応する次の電力増幅器の特性を決定するために前記電力増幅器の特性をスケーリングすることを前記回路に行わせるためのコードと、
前記次の電力増幅器の特性を反転させることを前記回路に行わせるためのコードと、を備える請求項２６に記載のコンピュータプログラム製品。
【請求項３０】
送信信号及びフィードバック信号を同時並行して捕捉するための手段と、
電力増幅器が要求事項に従って増幅された送信信号を生成するのを可能にする電源のための最小バイアス電圧を決定するための手段であって、前記最小バイアス電圧を決定するための前記手段は、電圧の組内の次のバイアス電圧に対応する次のプリディストーションを決定するための手段を備える、手段と、
前記次のバイアス電圧及び前記次のプリディストーションが、前記電力増幅器が前記要求事項に従って前記増幅された送信信号を生成するのを可能にする場合は現在のバイアス電圧を低下させるための手段と、を備える、電力消費量を低減させるための装置。
【請求項３１】
前記最小バイアス電圧を決定するための前記手段は、
現在のバイアス電圧に対応する電力増幅器の特性を決定するための手段であって、前記次のバイアス電圧は、前記現在のバイアス電圧よりも低い手段と、
前記次のバイアス電圧に対応する性能を推定するための手段と、を備える請求項３０に記載の装置。
【請求項３２】
前記次のバイアス電圧及び前記次のプリディストーションが、前記電力増幅器が前記要求事項に従って前記増幅された送信信号を生成するのを可能にするかどうかを決定するための手段と、
前記次のバイアス電圧及び前記次のプリディストーションが、前記電力増幅器が前記要求事項に従って前記増幅された送信信号を生成するのを可能にしない場合は少なくとも１つのパラメータを設定するための手段と、をさらに備える請求項３１に記載の装置。
【請求項３３】
１つ以上の基準に基づいて再評価が必要であるかどうかをさらに決定するための手段と、
欠陥性能が生じたかどうかを決定するための手段と、をさらに備える請求項３１に記載の装置。
【請求項３４】
前記次のプリディストーションを決定するための前記手段は、
前記次のバイアス電圧に対応する次の電力増幅器の特性を決定するために前記電力増幅器の特性をスケーリングするための手段と、
前記次の電力増幅器の特性を反転させるための手段と、を備える請求項３１に記載の装置。
【手続補正２】
【補正対象書類名】明細書
【補正対象項目名】０１２４
【補正方法】変更
【補正の内容】
【０１２４】
請求項は、上記の正確な構成及びコンポーネントに限定されないことが理解されるべきである。ここにおいて説明されるシステム、方法、及び装置の手配、動作及び詳細は、請求項の適用範囲を逸脱することなしに様々な修正、変更及び変形を行うことができる。
以下に本願発明の当初の特許請求の範囲に記載された発明を付記する。
［Ｃ１］
電力増幅器と、
前記電力増幅器に結合された前置歪み補償器と、
前記電力増幅器に結合された電源と、
前記電力増幅器、前記前置歪み補償器及び前記電源に結合されたコントローラと、を備え、
前記コントローラは、送信信号およびフィードバック信号を同時並行して捕捉し、及び、前記電力増幅器が要求事項に従って増幅された送信信号を生成するのを可能にする電圧の組及びプリディストーションから最小バイアス電圧を決定する、電力消費量を低減させるための回路。
［Ｃ２］
前記最小バイアス電圧を決定することは、
現在のバイアス電圧に対応する電力増幅器の特性を決定することと、
電圧の前記組内の次のバイアス電圧に対応する次のプリディストーションを決定することであって、前記次のバイアス電圧は、前記現在のバイアス電圧よりも低いことと、
前記次のバイアス電圧に対応する性能を推定することと、を備えるＣ１に記載の回路。
［Ｃ３］
前記コントローラは、前記次のプリディストーションを決定すること及び性能を推定することをさらに繰り返すＣ２に記載の回路。
［Ｃ４］
前記次の電圧に対応する性能を推定することは、前記次のバイアス電圧に対応する１つ以上の性能メトリックを推定することを備え、前記１つ以上の性能メトリックは、隣接チャネル漏洩比（ＡＣＬＲ）、隣接チャネル電力比（ＡＣＰＲ）、ピーク対平均比（ＰＡＲ）、エラーベクトルマグニチュード（ＥＶＭ），受信帯域雑音（ＲｘＢＮ）、送信チェーン全体の利得及び送信チェーン全体の電力から成るグループの中の少なくとも１つを含むＣ２に記載の回路。
［Ｃ５］
前記コントローラは、
前記次のバイアス電圧及び前記次のプリディストーションが、前記電力増幅器が前記要求事項に従って前記増幅された送信信号を生成するのを可能にするかどうかをさらに決定し、
前記次のバイアス電圧及び前記次のプリディストーションが、前記電力増幅器が前記要求事項に従って前記増幅された送信信号を生成するのを可能にする場合は前記バイアス電圧を低下させ、及び
前記次のバイアス電圧及び前記次のプリディストーションが、前記電力増幅器が前記要求事項に従って前記増幅された送信信号を生成するのを可能にしない場合は少なくとも１つのパラメータを設定するＣ２に記載の回路。
［Ｃ６］
少なくとも１つのパラメータを設定することは、
前記現在のバイアス電圧を示すパラメータを電源制御信号で送信することと、
前記現在のバイアス電圧に対応するプリディストーションを示す１つ以上のパラメータをプリディストーション制御信号で送信することと、を備えるＣ５に記載の回路。
［Ｃ７］
前記コントローラは、
１つ以上の基準に基づいて再評価が必要であるかどうかをさらに決定し、及び
欠陥性能が生じたかどうかを決定するＣ２に記載の回路。
［Ｃ８］
前記コントローラは、欠陥性能が生じた場合に平均電力トラッキング（ＡＰＴ）に基づいて前記現在のバイアス電圧を初期電圧にさらに設定するＣ７に記載の回路。
［Ｃ９］
前記次のプリディストーションを決定することは、
前記次のバイアス電圧に対応する次の電力増幅器の特性を決定するために前記電力増幅器の特性をスケーリングすることと、
前記次の電力増幅器の特性を反転させることと、を備えるＣ２に記載の回路。
［Ｃ１０］
前記要求事項は、隣接チャネル漏洩比（ＡＣＬＲ）、隣接チャネル電力比（ＡＣＰＲ）、ピーク対平均比（ＰＡＲ）、エラーベクトルマグニチュード（ＥＶＭ），受信帯域雑音（ＲｘＢＮ）、送信チェーン全体の利得及び送信チェーン全体の電力から成るグループの中の少なくとも１つに関する指定値を備えるＣ１に記載の回路。
［Ｃ１１］
前記コントローラは、スイッチ又はデュプレクサの前で前記電力増幅器の出力部から前記フィードバック信号を捕捉するＣ１に記載の回路。
［Ｃ１２］
前記コントローラは、スイッチ又はデュプレクサの後で前記電力増幅器の出力部から前記フィードバック信号を捕捉するＣ１に記載の回路。
［Ｃ１３］
送信信号およびフィードバック信号を同時並行して捕捉することと、
電力増幅器が要求事項に従って増幅された送信信号を生成するのを可能にする電圧の組及びプリディストーションから最小バイアス電圧を決定することと、を備える、回路によって電力消費量を低減させるための方法。
［Ｃ１４］
前記最小バイアス電圧を決定することは、
現在のバイアス電圧に対応する電力増幅器の特性を決定することと、
電圧の前記組内の次のバイアス電圧に対応する次のプリディストーションを決定することであって、前記次のバイアス電圧は、前記現在のバイアス電圧よりも低いことと、
前記次のバイアス電圧に対応する性能を推定することと、を備えるＣ１３に記載の方法。
［Ｃ１５］
前記次のプリディストーションを決定すること及び性能を推定することを繰り返すことをさらに備えるＣ１４に記載の方法。
［Ｃ１６］
前記次の電圧に対応する性能を推定することは、前記次のバイアス電圧に対応する１つ以上の性能メトリックを推定することを備え、前記１つ以上の性能メトリックは、隣接チャネル漏洩比（ＡＣＬＲ）、隣接チャネル電力比（ＡＣＰＲ）、ピーク対平均比（ＰＡＲ）、エラーベクトルマグニチュード（ＥＶＭ），受信帯域雑音（ＲｘＢＮ）、送信チェーン全体の利得及び送信チェーン全体の電力から成るグループの中の少なくとも１つを含むＣ１４に記載の方法。
［Ｃ１７］
前記次のバイアス電圧及び前記次のプリディストーションが、前記電力増幅器が前記要求事項に従って前記増幅された送信信号を生成するのを可能にするかどうかをさらに決定することと、
前記次のバイアス電圧及び前記次のプリディストーションが、前記電力増幅器が前記要求事項に従って前記増幅された送信信号を生成するのを可能にする場合は前記現在のバイアス電圧を低下させることと、
前記次のバイアス電圧及び前記次のプリディストーションが、前記電力増幅器が前記要求事項に従って前記増幅された送信信号を生成するのを可能にしない場合は少なくとも１つのパラメータを設定することと、をさらに備えるＣ１４に記載の方法。
［Ｃ１８］
少なくとも１つのパラメータを設定することは、
前記現在のバイアス電圧を示すパラメータを電源制御信号で送信することと、
前記現在のバイアス電圧に対応するプリディストーションを示す１つ以上のパラメータをプリディストーション制御信号で送信することと、を備えるＣ１７に記載の方法。
［Ｃ１９］
１つ以上の基準に基づいて再評価が必要であるかどうかを決定することと、
欠陥性能が生じたかどうかを決定することと、をさらに備えるＣ１４に記載の方法。
［Ｃ２０］
欠陥性能が生じた場合に平均電力トラッキング（ＡＰＴ）に基づいて前記現在のバイアス電圧を初期電圧に設定することをさらに備えるＣ１９に記載の方法。
［Ｃ２１］
前記次のプリディストーションを決定することは、
前記次のバイアス電圧に対応する次の電力増幅器の特性を決定するために前記電力増幅器の特性をスケーリングすることと、
前記次の電力増幅器の特性を反転させることと、を備えるＣ１４に記載の方法。
［Ｃ２２］
前記要求事項は、隣接チャネル漏洩比（ＡＣＬＲ）、隣接チャネル電力比（ＡＣＰＲ）、ピーク対平均比（ＰＡＲ）、エラーベクトルマグニチュード（ＥＶＭ），受信帯域雑音（ＲｘＢＮ）、送信チェーン全体の利得及び送信チェーン全体の電力から成るグループの中の少なくとも１つに関する指定値を備えるＣ１３に記載の方法。
［Ｃ２３］
前記フィードバック信号は、スイッチ又はデュプレクサの前で前記電力増幅器の出力部からを捕捉されるＣ１３に記載の方法。
［Ｃ２４］
前記フィードバック信号は、スイッチ又はデュプレクサの後で前記電力増幅器の出力部からを捕捉されるＣ１３に記載の方法。
［Ｃ２５］
命令を有する非一時的な有形のコンピュータによって読み取り可能な媒体であって、前記命令は、
送信信号及びフィードバック信号を同時並行して捕捉することを回路に行わせるためのコードと、
電力増幅器が要求事項に従って増幅された送信信号を生成するのを可能にする電圧の組及びプリディストーションから最小バイアス電圧を決定することを前記回路に行わせるためのコードと、を備える、命令を有する非一時的な有形のコンピュータによって読み取り可能な媒体、を備える、電力消費量を低減させるためのコンピュータプログラム製品。
［Ｃ２６］
前記最小バイアス電圧を決定することを前記回路に行わせるための前記コードは、
現在のバイアス電圧に対応する電力増幅器の特性を決定することを前記回路に行わせるためのコードと、
電圧の前記組内の次のバイアス電圧に対応する次のプリディストーションを決定することを前記回路に行わせるためのコードであって、前記次のバイアス電圧は、前記現在のバイアス電圧よりも低いコードと、
前記次のバイアス電圧に対応する性能を推定することを前記回路に行わせるためのコードと、を備えるＣ２５に記載のコンピュータプログラム製品。
［Ｃ２７］
前記命令は、
前記次のバイアス電圧及び前記次のプリディストーションが、前記電力増幅器が前記要求事項に従って前記増幅された送信信号を生成するのを可能にするかどうかを決定することを前記回路に行わせるためのコードと、
前記次のバイアス電圧及び前記次のプリディストーションが、前記電力増幅器が前記要求事項に従って前記増幅された送信信号を生成するのを可能にする場合は前記現在のバイアス電圧を低下させることを前記回路に行わせるためのコードと、
前記次のバイアス電圧及び前記次のプリディストーションが、前記電力増幅器が前記要求事項に従って前記増幅された送信信号を生成するのを可能にしない場合は少なくとも１つのパラメータを設定することを前記回路に行わせるためのコードと、をさらに備えるＣ２６に記載のコンピュータプログラム製品。
［Ｃ２８］
前記命令は、
１つ以上の基準に基づいて再評価が必要であるかどうかを決定することを前記回路に行わせるためのコードと、
欠陥性能が生じたかどうかを決定することを前記回路に行わせるためのコードと、をさらに備えるＣ２６に記載のコンピュータプログラム製品。
［Ｃ２９］
前記次のプリディストーションを決定することを前記回路に行わせるための前記コードは、
前記次のバイアス電圧に対応する次の電力増幅器の特性を決定するために前記電力増幅器の特性をスケーリングすることを前記回路に行わせるためのコードと、
前記次の電力増幅器の特性を反転させることを前記回路に行わせるためのコードと、を備えるＣ２６に記載のコンピュータプログラム製品。
［Ｃ３０］
送信信号及びフィードバック信号を同時並行して捕捉するための手段と、
前記電力増幅器が要求事項に従って増幅された送信信号を生成するのを可能にする電圧の組及びプリディストーションから最小バイアス電圧を決定するための手段と、を備える、電力消費量を低減させるための装置。
［Ｃ３１］
前記最小バイアス電圧を決定するための前記手段は、
現在のバイアス電圧に対応する電力増幅器の特性を決定するための手段と、
電圧の前記組内の次のバイアス電圧に対応する次のプリディストーションを決定するための手段であって、前記次のバイアス電圧は、前記現在のバイアス電圧よりも低い手段と、
前記次のバイアス電圧に対応する性能を推定するための手段と、を備えるＣ３０に記載の装置。
［Ｃ３２］
前記次のバイアス電圧及び前記次のプリディストーションが、前記電力増幅器が前記要求事項に従って前記増幅された送信信号を生成するのを可能にするかどうかを決定するための手段と、
前記次のバイアス電圧及び前記次のプリディストーションが、前記電力増幅器が前記要求事項に従って前記増幅された送信信号を生成するのを可能にする場合は前記現在のバイアス電圧を低下させるための手段と、
前記次のバイアス電圧及び前記次のプリディストーションが、前記電力増幅器が前記要求事項に従って前記増幅された送信信号を生成するのを可能にしない場合は少なくとも１つのパラメータを設定するための手段と、をさらに備えるＣ３１に記載の装置。
［Ｃ３３］
１つ以上の基準に基づいて再評価が必要であるかどうかをさらに決定するための手段と、
欠陥性能が生じたかどうかを決定するための手段と、をさらに備えるＣ３１に記載の装置。
［Ｃ３４］
前記次のプリディストーションを決定するための前記手段は、
前記次のバイアス電圧に対応する次の電力増幅器の特性を決定するために前記電力増幅器の特性をスケーリングするための手段と、
前記次の電力増幅器の特性を反転させるための手段と、を備えるＣ３１に記載の装置。